(57)【要約】【課題】  被貼付体から剥離しなくても容易に収納物を取り出すことができ、しかも、取り出した後の収納物を再収納することができる収納ラベルを提供することを課題とする。【解決手段】  下面に粘着部２が設けられた下層フィルム３と、下層フィルム３の上面に重ね合わされ且つ周縁部が接着された上層フィルム４と、を備え、上下層フィルム３，４の間に収納物７が収納されてなる収納ラベル１であって、上層フィルム４が、２枚のフィルム片４１，４２から構成されており、第１フィルム片４１の一縁部４１ａが第２フィルム片４２に接し、第１フィルム片４１及び第２フィルム片４２の一縁部を除く周縁部４１ｂ，４２ｂが下層フィルムに接着されている収納ラベル。【選択図】      図３
2007057623.tif 000002
【特許請求の範囲】
【請求項１】
下面に粘着部が設けられた下層フィルムと、下層フィルムの上面に重ね合わされ且つ周縁部が接着された上層フィルムと、を備え、上下層フィルムの間に収納物が収納されてなる収納ラベルであって、
上層フィルムが、２枚のフィルム片から構成されており、第１フィルム片の一縁部が第２フィルム片に接し、
第１フィルム片及び第２フィルム片の一縁部を除く周縁部が下層フィルムに接着されていることを特徴とする収納ラベル。
【請求項２】
第１フィルム片の一縁部が第２フィルム片の上面に重ね合わされており、この重ね合わせ部分に於いて、第１フィルム片の一部分が第２フィルム片の上面に接着されている請求項１記載の収納ラベル。
【発明の詳細な説明】
【技術分野】
【０００１】
本発明は、上下２層のフィルムの間に説明書などの扁平状収納物が収納され、粘着剤を介して商品に貼付できる収納ラベルに関する。
【背景技術】
【０００２】
従来、懸賞応募ハガキ、薬品能書、取扱説明書、商品説明書、懸賞応募説明書などの各種説明書、保証書などの各種証明書類、小冊子、各種カード類、付録などの扁平状の収納物を商品に添付するため、図１０に示すような収納ラベルが知られている。
この収納ラベル１００は、上下２層のフィルム１０１，１０２の周縁部を接着することにより、該上下層フィルム間に周縁接着部が形成され、且つ周縁接着部で囲われる領域内に収納部１０３が形成された本体１０４と、下層フィルム１０２の裏面に設けられた粘着部１０５と、を備え、本体１０４の一縁部に略Ｖ字状の開封用切れ目１０６が形成された構成からなる。
かかる収納ラベル１００は、その収納部１０３に収納物１０７を収納し、粘着部１０５を介して下層フィルム１０２を商品などの被貼付体に貼付して使用される。
【０００３】
上記収納ラベル１００から収納物１０７を取り出すには、収納ラベル１００を被貼付体から剥ぎ取り、切れ目１０６を起点にして本体１０４を切断して収納部１０３を開封することによって、収納物１０７を取り出すことができる。
そして、収納物を取り出した後の上記収納ラベル１００は、収納物を収納して被貼付体に貼付するという機能を終え、ゴミとして廃棄される。
【０００４】
しかしながら、上記従来の収納ラベル１００は、収納物１０７を取り出す際、被貼付体から剥離し、更に、切れ目１０６から切断しなければならず、簡単に収納物を取り出すことができない。また、商品説明書などの収納物１０７は、閲覧した後、収納ラベル１００に再収納して保管しておくことが望まれるが、上記従来の収納ラベル１００にあっては、取り出した収納物１０７は、元通りに被貼付体に貼付した状態で収納ラベル１００に再収納できない。
【発明の開示】
【発明が解決しようとする課題】
【０００５】
そこで、本発明者らは、被貼付体から剥離しなくても容易に収納物を取り出すことができ、しかも、取り出した後の収納物を再収納することができる収納ラベルを提供することを課題とする。
【課題を解決するための手段】
【０００６】
上記課題を解決するための手段として、本発明は、下面に粘着部が設けられた下層フィルムと、下層フィルムの上面に重ね合わされ且つ周縁部が接着された上層フィルムと、を備え、上下層フィルムの間に収納物が収納されてなる収納ラベルであって、上層フィルムが、２枚のフィルム片から構成されており、第１フィルム片の一縁部が第２フィルム片に接し、第１フィルム片及び第２フィルム片の一縁部を除く周縁部が下層フィルムに接着されている収納ラベルを提供する。
【０００７】
上記収納ラベルは、上層フィルムが２枚のフィルム片で構成され、第１フィルム片の一縁部が第２フィルム片の上面に接し、第１フィルム片及び第２フィルム片の一縁部を除く周縁部が下層フィルムに接着されているので、第１フィルム片の一縁部から指を入れ第１フィルム片を捲ると、第１フィルム片の周縁接着部が下層フィルムから剥がれる。
このように第１フィルム片を引き剥がすことにより、第２フィルム片と下層フィルムの間に収納された収納物を容易に取り出すことができる。また、収納物を取り出した後、第２フィルム片と下層フィルムの間に、収納物を再収納することもできる。
【０００８】
さらに、本発明の好ましい態様では、上記第１フィルム片の一縁部が第２フィルム片の上面に重ね合わされており、この重ね合わせ部分に於いて、第１フィルム片の一部分が第２フィルム片の上面に接着されている上記収納ラベルを提供する。かかる収納ラベルは、第１フィルム片と第２フィルム片の重ね合わせ部分が部分接着されているので、流通・保管時などに於いて、第１フィルム片の一縁部と第２フィルム片の上面の間から、ゴミや小昆虫などが侵入し難く、又、第１フィルム片が不用意に捲れ上がることをより防止できる。
【発明の効果】
【０００９】
本発明の収納ラベルは、第１フィルム片の周縁接着部を引き剥がすことにより、収納物を容易に取り出すことができる。また、該収納物を取り出す際、第２フィルム片を下層フィルムから引き剥がす必要はないので、第２フィルム片と下層フィルムの間に収納物を再収納することもできる。
また、重ね合わせ部分に於いて、第１フィルム片の一部分が第２フィルム片の上面に接着されている上記収納ラベルは、第１フィルム片と第２フィルム片の間から小昆虫などが侵入することや意図しない第１フィルム片の剥離を防止することができる。
【発明を実施するための最良の形態】
【００１０】
以下、本発明について、図面を参照しつつ具体的に説明する。
図１〜図３に於いて、１は、下面に粘着部２が設けられた下層フィルム３と、下層フィルム３の上面に重ね合わされる上層フィルム４と、上下層フィルム３，４間に収納部５を形成すべく、上下層フィルム３，４の周縁部が接着された周縁接着部と、この周縁接着部で囲われる領域（収納部５）内に収納された収納物７と、を備える収納ラベルを示す。
この上層フィルム４は、２枚のフィルム片４１，４２に分割されており、第１フィルム片４１の一縁部４１ａが第２フィルム片４２の上面に接するように、第１フィルム片４１の一縁部４１ａが第２フィルム片４２の上面に重ね合わされている。この重ね合わせ部分は、例えば、収納ラベル１の幅方向中央部に帯状に形成されている。
尚、収納ラベル１は、通常、図２に示すように、下層フィルム３に設けられた粘着部２を離型紙８上に仮貼付することで供給される。
【００１１】
具体的には、収納ラベル１は、平面視矩形状に形成されている。もっとも、収納ラベル１は、矩形状に限られず、例えば、図４（ａ）、（ｂ）に示すように、略三角形状、略円形などに形成されていてもよい。このような変形例に於いても、上層フィルム４は、上記と同様に第１及び第２フィルム片４１，４２から構成される。
【００１２】
上下層フィルム３，４は、特に限定されず、例えば、ポリエチレンテレフタレートなどのポリエステル系、ポリプロピレンなどのポリオレフィン系、スチレン系などの合成樹脂製フィルム、紙、合成紙、不織布などの単層フィルム、又は合成樹脂フィルムと紙の積層体などの積層フィルムなど、公知のフィルムを使用することができる。上下層フィルム３，４は、それぞれ同一又は同種のものでも良いし、又は異なる材質でもよい。上下層フィルム３，４の厚みは、概ね１０〜１２０μｍ程度のものが用いられる。尚、本発明に言うフィルムとは、一般にシートや葉状体などと呼ばれるものも含まれる。
さらに、収納部５に収納された収納物７を透視するため、少なくとも上層フィルム４は、透明又は半透明のフィルム（例えば、合成樹脂フィルムなど）を用いることが好ましい。
具体例を示すと、例えば、上層フィルム４として、耐熱性に優れた厚み１０〜５０μｍ程度の透明な２軸延伸ポリエチレンテレフタレートなどのポリエステル系又はポリプロピレンなどのポリオレフィン系のフィルムを用いることができ、下層フィルム３として、厚み５０〜１２０μｍ程度の合成紙を用いることできる。
【００１３】
上記上層フィルム４は、２枚のフィルム片４１，４２に分割されている。この第１及び第２フィルム片４１，４２は、第１フィルム片４１の一縁部４１ａに於いて重ね合わすため、収納ラベル１の平面形状の半分よりも大きく形成されている。例えば、第１フィルム片４１及び第２フィルム片４２ともに、その幅が、収納ラベル１の幅の２／３程度に形成されている。
但し、第１フィルム片４１及び第２フィルム片４２の何れも、収納ラベル１の平面形状の半分よりも大きく形成されているものに限られず、例えば、第１フィルム片４１の幅が収納ラベル１の幅の１／３程度（面積１／３程度）で、第２フィルム片４２の幅が、収納ラベル１の幅の３／４程度に形成されているなど適宜設計変更可能である。要は、上層フィルム４が２枚のフィルム片４１，４２からなり、第１フィルム片４１の一縁部４１ａが、第２フィルム片４２に接するように設けられていれば、各フィルム片４１，４２の大きさや形状は特に限定されない。
もっとも、収納物７を取り出すため第１フィルム片４１を引き剥がした際に、第２フィルム片４２の一縁部４２ａから収納物７の一部分が露出するように構成するために、第２フィルム片４２は、接着状態に於いて、第２フィルム片４２の一縁部４２ａから収納物７の一部分が外側へ出る程度の大きさに形成されていることが好ましい。
【００１４】
第２フィルム片４２は、その一縁部４２ａを除く周縁部が下層フィルム３の周縁部に接着され、これにより第２周縁接着部４２ｂが形成されている。一方、第１フィルム片４１は、その一縁部４１ａが第２フィルム片４２の上面に重ね合わされ、且つ第１フィルム片４１の一縁部４１ａを除く周縁部が下層フィルム３の周縁部に接着され、これにより第１周縁接着部４１ｂが形成されている。尚、第１フィルム片４１の第１周縁接着部４１ｂのうち、第２フィルム片４２に重ね合わされている部分は、図２（ｂ）や（ｅ）に示すように、下層フィルム３に直接接着されておらず、第２フィルム片４２に接着されている。換言すると、第１フィルム片４１の第１周縁接着部４１ｂのうち、第２フィルム片４２の上面に重ね合わされている部分は、第２フィルム片４２を介して下層フィルム３に接着されている。このように第２フィルム片４２を介して接着されている構成も、第１フィルム片４１が下層フィルム３に接着されていることに含まれる。
尚、第２フィルム片４２及び第１フィルム片４１は、上記のように、その一縁部４２ａ，４１ａを除く周縁部の全体が接着されていることが好ましいが、第２フィルム片４２及び第１フィルム片４１が容易に離脱しない程度に接着されていれば、一縁部４２ａ，４１ａを除く周縁部に非接着部分を部分的に含んでいても構わない。
【００１５】
第１フィルム片４１及び第２フィルム片４２の各周縁接着部４１ｂ，４２ｂは、接着剤又は粘着剤を介して接着されている。この接着剤としては、特に限定されず、加熱することで接着性を発揮する感熱性接着剤、紫外線などの光線照射により硬化する光硬化型接着剤、電子線硬化型接着剤、溶剤型接着剤、２液型接着剤などの公知の接着剤を用いることができる。また、粘着剤としては、一般に公知のタックラベルに用いられている感圧型粘着剤、加熱することで粘着性を発揮する感熱性粘着剤などを用いることができる。
第１フィルム片４１を下層フィルム３に接着するために、接着剤を用いた場合には、後述するように収納物７を取り出す際、第１フィルム片４１を剥離した後、該第１フィルム片４１を再接着することはできないが、感圧型粘着剤を用いた場合には、第１フィルム片４１を剥離した後、該第１フィルム片４１を再接着することができる。従って、取り出した収納物７を再収納した後、第２フィルム片４２の一縁部４２ａを塞ぐように、第１フィルム片４１にて再封することができる。このように第１フィルム片４１の接着手段として粘着剤を用いた場合、かかる利点がある反面、悪意者が、第１フィルム片４１を剥離して収納物７を盗み出す又は悪戯した後、第１フィルム片４１を元通りに接着する虞がある。このような悪戯防止の観点から、第１フィルム片４１は、接着剤にて接着されていることが好ましいと言える。
【００１６】
また、収納物７を取り出す際、第１フィルム片４１を引き剥がすことから、少なくとも第１フィルム片４１の第１周縁接着部４１ｂは、下層フィルム３から第１フィルム片４１を手の力で引き剥がすことができる程度の接着力で接着されている。
この接着力は、接着剤やフィルムの種類、第１周縁接着部４１ｂの接着幅などを適宜設計することにより調整できる。
具体的には、この第１フィルム片４１の第１周縁接着部４１ｂと下層フィルム３の上面（部分的に第２フィルム片４２の上面）の層間に於ける接着力（剥離強度）は、０．２〜３Ｎ程度、好ましくは１〜２Ｎ程度が例示される。余りに接着力が弱すぎると、流通・保管時などに不用意に剥離する虞があり、余りに接着力が強すぎると、手で引き剥がすことが困難となるからである。
一方、第２フィルム片４２は、収納物７を取り出す際に必ずしも剥離する必要がないので、第２フィルム片４２の第２周縁接着部４２ｂと下層フィルム３の上面の層間に於ける接着力（剥離強度）は、０．２Ｎ程度以上、好ましくは１Ｎ程度以上が例示される。
但し、この接着力（剥離強度）は、ＪＩＳ  Ｚ  ０２３７に準じ、試験材料として実施品の周縁接着部（実際に作製される収納ラベルの周縁接着部）を用い、剥離角度：９０度、剥離速さ：３００ｍｍ／分、温度：２３℃の条件下の剥離試験において測定された値である。
ここで、試料材料を実施品の周縁接着部としたのは次の理由による。接着力は、一般に接着幅によって変化するが、接着部の幅寸法に拘わらず、第１フィルム片４１の第１周縁接着部４１ｂが、上記接着力の範囲であれば、第１フィルム片４１を下層フィルム３から引き剥がすことができる。従って、接着力は、実施品に則して測定されたもので表している。
尚、通常、第１フィルム片４１の第１周縁接着部４１ｂ（及び第２フィルム片４２の第２周縁接着部４２ｂ）の幅寸法は、１ｍｍ〜１０ｍｍ程度、好ましくは、３ｍｍ〜７ｍｍ程度に形成される。
【００１７】
本実施形態では、第１フィルム片４１及び第２フィルム片４２の下面全体に、図３に示すように、感熱性接着剤６をベタ状に塗工し、第１及び第２フィルム片４１，４２の一縁部４１ａ，４２ａを除いた周縁部のみを加熱することにより、第１周縁接着部４１ｂ及び第２周縁接着部４２ｂが形成されている。これにより第１フィルム片４１の一縁部４１ａに於いて、第１フィルム片４１は第２フィルム片４２の上面に接着されておらず、単に重なり合った状態とされている。
【００１８】
下層フィルム３の下面に設けられた粘着部２は、一般に公知のタックラベルに用いられている感圧型粘着剤などの公知の粘着剤を、下層フィルム３の下面全体にベタ状に設ける、又は下層フィルム３の下面に部分的に設けることによって形成されている。
【００１９】
収納物７としては、薬品能書、取扱説明書、商品説明書、懸賞応募説明書などの各種説明書、保証書などの各種証明書類、小冊子、各種カード類、コイン状物品、付録などの扁平状の収納物が挙げられる。もっとも、このような扁平状の収納物に限られず、ある程度嵩高い収納物を収納することもできる。
【００２０】
上記収納物７を収納する収納部５は、収納物７の形状などに応じて適宜設定され、図１に示すような矩形状の収納ラベル１に於いては、収納物７の外形よりも少し大きな平面視矩形状に形成され、図４（ａ）及び（ｂ）に示すような収納ラベル１では、収納部５は、平面視略三角形状、略円形状に形成される。もっとも、収納ラベル１の平面形状と収納部５の平面形状は同じ形状に形成される場合に限定されるわけではない。
該収納部５は、上下層フィルム３，４の各周縁接着部４１ｂ，４２ｂで囲われる領域内に確保されている。
【００２１】
上記構成からなる収納ラベル１は、例えば、下記のようにして製造できる。
粘着剤が塗布された離型紙上に、下層フィルム原反（下層フィルム３が連続的に繋がった長尺状のフィルム）を貼り合わせ、下層フィルム原反の下面に粘着剤を転写し、粘着部２を形成する。
他方、下面全体に感熱性接着剤がベタ状に塗工された第１フィルム片原反（第１フィルム片４１が連続的に繋がった長尺状のフィルム）及び第２フィルム片原反（第２フィルム片４２が連続的に繋がった長尺状のフィルム）を準備する。この第１及び第２フィルム片原反の幅は、下層フィルム原反の幅の１／２より大きく形成されている（具体的には、下層フィルム原反の幅の１／２〜３／４程度）。
尚、該下層フィルム原反、第１及び第２フィルム片原反は、通常、ロール状に巻き取られた状態で提供される。
【００２２】
次に、図５に示すように、下層フィルム原反ロール１１をラミネート装置（図示せず）の上流側にセットし、該下層フィルム原反１２を下流側へと送り出し、下層フィルム原反１２の上面（下層フィルム３の上面）に於ける収納部形成予定部位に、収納物７を所定間隔を開けて載置していく。
【００２３】
他方、第２フィルム片原反ロール１３及び第１フィルム片原反ロール１５から第２フィルム片原反１４及び第１フィルム片原反１６を下流側へ送り出し、第２フィルム片原反１４を下層フィルム原反１２に重ね合わせ、この第２フィルム片原反１４の一側部上面に第１フィルム片原反１６の一側部を重ね合わせる。このように重ね合わせることにより、下層フィルム原反１２の幅方向中央部に於いて、第２フィルム片原反１４の上面に、第１フィルム片原反１６の一縁部が重なり合う。
次に、第１及び第２フィルム片原反１４，１６のうち一縁部を除く周縁部を下層フィルム原反１２に接着すべく、第１及び第２フィルム片原反１４，１６の上面から周縁接着部形成予定部位に（収納物７を囲繞するように）矩形リング状の加熱板１７を当て、当該周縁接着部形成予定部位の感熱性接着剤を活性化させつつ押圧する。これにより、第１及び第２フィルム片原反１４，１６の周縁部が下層フィルム原反１２に接着し、第１及び第２周縁接着部４１ｂ，４２ｂが形成される。
尚、上記製法に代えて、先ず、第２フィルム片原反１４を下層フィルム原反１２に重ね合わせ、該第２フィルム片１４の周縁接着部形成予定部位を接着した後、第１フィルム片原反１６を重ね合わせ、該第１フィルム片１６の周縁接着部形成予定部位を接着してもよい。
また、上記製法では、予めロール状に巻かれた第１フィルム片原反１６及び第２フィルム原反１４を準備しているが、例えば、下面全体に感熱性接着剤がベタ状に塗工された幅広フィルム原反（上記第１フィルム片原反１６及び第２フィルム原反１４が幅方向繋がったフィルム原反）を準備し、これを下流側に引き出して、下層フィルム原反１２に重ねる前に、該幅広フィルム原反を長手方向に切断して、第１フィルム片原反１６及び第２フィルム原反１４をそれぞれ作製してもよい。
【００２４】
最後に、各周縁接着部４１ｂ，４２ｂの外縁にて第１及び第２フィルム片原反１４，１６及び下層フィルム原反１２を切断し、収納ラベル１以外のフィルム原反（不要となった抜き滓フィルム）を取り除く。これにより図２に示すような、内部に一の収納物を収納した収納ラベル１が、長尺状の離型紙８の上に所定間隔をあけて並べて仮貼付された収納ラベル連続体を得ることができる。
【００２５】
かかる収納ラベル連続体は、ロール状に巻き取られ、収納ラベル１を個々に被貼付体に貼付するためラベリング装置（図示せず）に装填される。該装置に装填された収納ラベル連続体は、収納ラベル１が離型紙から剥離され、該収納ラベル１は、図６（ａ）に示すように、粘着部２を介して商品の外箱などの被貼付体１０に連続的に貼付される。
【００２６】
上記収納ラベル１は、上層フィルム４が２枚のフィルム片４１，４２で構成され、第１フィルム片４１の一縁部４１ａが第２フィルム片４２の上面に（接着されておらず）重ね合わされているので、第１フィルム片４１の一縁部４１ａから指を入れ第１フィルム片４１を捲ると、第１フィルム片４１の第１周縁接着部４１ｂが下層フィルム３から剥がれる（図６（ｂ）参照）。
第１フィルム片４１を引き剥がすと、第２フィルム片４２の一縁部４２ａの外側に、収納物７の一側部が露出する。従って、使用者は、収納ラベル１から収納物７を摘み出すことにより、収納物７を簡単に取り出すことができる。また、収納物７を取り出した後、第２フィルム片４２と下層フィルム３の間に、収納物７を再収納することもできる。
【００２７】
上記収納物７を取り出す際、第１フィルム片４１は、第１周縁接着部４１ｂ全体を完全に剥離することにより、下層フィルム３から分離することもできる。しかしながら、収納物７を再収納することから、図６（ｂ）に示すように、第１周縁接着部４１ｂのうち両側部分のみを剥離することにより、第１フィルム片４１の他縁部４１ｃを、下層フィルム３に接着させた状態にしておくことが好ましい。このように第１フィルム片４１の他縁部４１ｃが、接着状態のままであれば、収納物７を再収納した際、第２フィルム片４２の一縁部４２ａを第１フィルム片４１にて再度覆うことができる。
【００２８】
また、上記収納ラベル１は、上層フィルム４が２枚のフィルム片４１，４２で構成され、第１フィルム片４１の一縁部４１ａが第２フィルム片４２の上面に（接着されておらず）重ね合わされているので、第１フィルム片４１及び第２フィルム片４２を下層フィルム３に接着する際、周縁接着部に空気を逃がすための空気抜き通路を形成する必要がない。つまり、従来のこの種の収納ラベルでは、上層フィルムの周縁部を接着する場合、形成される収納部内の空気を逃がすため、周縁接着部には、非接着部分を部分的に形成する必要がある。この点、本発明の収納ラベル１に於いては、第１フィルム片４１の一縁部４１ａは第２フィルム片４２の上面に接着されていないので、上層フィルム３を接着して収納部５を形成する際、この部分から空気が抜ける。従って、上層フィルム４の周縁接着部に空気抜き通路を設計する必要がないのである。
【００２９】
次に、本発明の変形例を示す。以下、主として上記実施形態と異なる構成及び作用効果について説明し、同様の構成などについては、その説明を省略し、図番を援用することがある。
上記各実施形態では、第１フィルム片４１の一縁部４１ａが第２フィルム片４２の上面に重ね合わされ、第１フィルム片４１と第２フィルム片４２間に帯状の重ね合わせ部分が形成されているため、収納部５の封緘性に優れるので好ましいが、必ずしも第１フィルム片４１は、第２フィルム片４２に重ね合わされている構成に限られない。
例えば、図７に示すように、第１フィルム片４１の一縁部４１ａが、第２フィルム片４２の一縁部４２ａに当接されていてもよい（突き合わせて接している）。かかる構成の収納ラベル１でも、第１フィルム片４１の一縁部４１ａから第１フィルム片４１を簡単に剥離し、収納物７を取り出すことができ、又、収納物７を再収納することもできる。
【００３０】
もっとも、上記のように第１フィルム片４１の一縁部４１ａが、第２フィルム片４２の上面に接した状態で重ね合わせることにより、流通・保管時などに於いて、収納部５内にゴミなどが入り難く、又、不用意に第１フィルム片４１が剥離することも防止できるので好ましい。
特に、図８に示すように、第１フィルム片４１の一縁部４１ａが第２フィルム片４２の上面に接した状態で重ね合わせ、この重ね合わせ部分に於いて、第１フィルム片４１の一部分が第２フィルム片４２の上面に接着されている収納ラベル１は、収納部５内にゴミや小昆虫などが入り難く、又、不用意に第１フィルム片４１が捲れ上がることをより防止できるので、より好ましい。
具体的には、この変形例に係る収納ラベル１は、第１フィルム片４１の一縁部４１ａを含む又は一縁部４１ａ近傍の下面中央部４１ｄに於いて、接着剤などを介して第１フィルム片４１が第２フィルム片４２に部分接着されている。この第１フィルム片４１と第２フィルム片４２の接着は、第１フィルム片４１と第２フィルム片４２の重ね合わせ部分全体に設けられておらず、該重ね合わせ部分の一部分（例えば中央部４１ｄなど）に設けられている。
このように第１フィルム片４１と第２フィルム片４２の重ね合わせ部分が部分接着されていることにより、第１フィルム片４１の一縁部４１ａが第２フィルム片４２に密着する。従って、該収納ラベル１は、流通・保管時などに於いて、第１フィルム片４１の一縁部４１ａと第２フィルム片４２の上面の間から、ゴミや小昆虫などがより侵入し難く、又、第１フィルム片４１が不用意に捲れ上がることをより防止できる。また、部分接着なので、収納部５を形成する際、空気の抜け道も確保できる。
尚、この重ね合わせ部分の部分接着の接着力は、上記第１周縁接着部４１ｂと同様であり、手で剥離可能な程度である。
【００３１】
また、上記各実施形態では、第１フィルム片４１及び第２フィルム片４２は、その下面全体に感熱性接着剤が設けられ、周縁接着部形成予定部位を加熱することで、各周縁接着部４１ｂ，４２ｂが形成されているが、第１フィルム片４１及び第２フィルム片４２の接着方法は、この方法に限定されない。
【００３２】
例えば、図９（ａ）に示すように、第１フィルム片４１及び第２フィルム片４２の下面全体に接着剤又は粘着剤６（例えば感圧型粘着剤など）をベタ状に塗工し、その下面のうち、周縁接着部形成予定部位を除く領域に、非接着処理層２１を設けてもよい。非接着処理層２１は、上記領域に、紫外線硬化型インキなどを塗工したり、薄いフィルムを貼着するなどにより、形成することができる。
【００３３】
また、上記のように第１フィルム片４１及び第２フィルム片４２の下面全体に接着剤や粘着剤をベタ状に塗工せずに、図９（ｂ）に示すように、各周縁接着部４１ｂ，４２ｂにのみ、接着剤６（又は粘着剤）を塗工することによって、第１フィルム片４１及び第２フィルム片４２を下層フィルム３に接着してもよい。
かかる収納ラベル１は、例えば、下記の方法にて製造できる。
第１フィルム片原反（第１フィルム片４１が連続的に繋がったもの）と第２フィルム片原反（第２フィルム片４２が連続的に繋がったもの）を準備する。これら原反の下面には、接着剤や粘着剤が塗工されていない。
上記実施形態で示した製造方法と同様にして、下層フィルム原反の上面に収納物７を所定間隔を開けて載置していく。
他方、第２フィルム片原反の下面のうち、周縁接着部形成予定部位に、遅効性紫外線硬化型接着剤を塗工する。該接着剤の塗工は、凸版輪転印刷機などの公知の印刷機にて行うことができる。
ここで、遅効性紫外線硬化型接着剤とは、公知の印刷法などによって塗布可能で、且つ紫外線を照射することによって接着可能な状態となる紫外線硬化型接着剤であって、紫外線を照射した後、緩やかに硬化が進行するタイプの紫外線硬化型接着剤である。このような紫外線硬化型接着剤としては、オリゴマー成分、モノマー成分、及び光重合開始剤を含み、必要に応じて光重合促進剤、粘度改良剤、ミスト防止剤、安定剤などの各種添加剤が配合されたものが挙げられる。
【００３４】
該接着剤を塗工した後、第１フィルム片原反に紫外線を照射すると、遅効性紫外線硬化型接着剤は、一部分が重合反応を開始し、接着可能なほどに粘度が上がるが、直ぐには硬化しない。そして、このように接着剤を接着可能な状態にした後、第２フィルム片原反の他側縁を、下層フィルム原反の一側縁に揃えるように重ね合わせ、押圧ローラにて押圧する。次に、第１フィルム片原反についても同様にして、第１フィルム片原反の下面のうち、周縁接着部形成予定部位に、遅効性紫外線硬化型接着剤を塗工し、紫外線照射後、第１フィルム片原反の他側縁を、下層フィルム原反の他側縁に揃えるように重ね合わせ、押圧ローラにて押圧する。
【００３５】
尚、遅効性紫外線硬化型接着剤に代えて、通常の紫外線硬化型接着剤、感熱性接着剤、溶剤型接着剤、電子線硬化型接着剤、これら性質の粘着剤などを用いることもできる。感熱性のものを用いる場合には、紫外線照射に代えて、所定温度に加熱し、溶剤型のものを用いる場合には、紫外線照射に代えて、溶剤を揮発させ、電子線硬化型のものを用いる場合には、紫外線照射に代えて、電子線照射を行えばよい。
かかる製法により、第１フィルム片４１及び第２フィルム片４２の下面のうち、各周縁接着部４１ｂ，４２ｂにのみ接着剤又は粘着剤が塗工された収納ラベル１を簡単に製造することができる。
【図面の簡単な説明】
【００３６】
【図１】（ａ）は、一実施形態の収納ラベルを上面側から見た平面図、（ｂ）は、同下面側から見た底面図。但し、同図（ａ）に於いて、便宜上、第１フィルム片の周縁部が接着された第１周縁接着部を「網掛け」で、第２フィルム片の周縁部が接着された第２周縁接着部を「薄墨塗り」で示している。以下、図４、図７（ａ）及び図８（ａ）に於いても同様。
【図２】離型紙に載った状態の収納ラベル（収納ラベル連続体）を上面側から見た一部省略平面図。
【図３】（ａ）は、図１のＡ−Ａ線矢視断面図、（ｂ）は、図１のＢ−Ｂ線矢視断面図、（ｃ）は、図１のＣ−Ｃ線矢視断面図、（ｄ）は、図１のＤ−Ｄ線矢視断面図、（ｅ）は、図１のＥ−Ｅ線矢視断面図。
【図４】（ａ）、（ｂ）共に、他の実施形態の収納ラベルを上面側から見た平面図。
【図５】収納ラベルの製造方法を示す参考図であって、（ａ）は、その参考側面図、（ｂ）は、同（ａ）の（イ）〜（ハ）の各工程に於いて、上面側から見た一部省略参考平面図。
【図６】（ａ）、（ｂ）共に、収納ラベルの使用状態を示す斜視図。但し、薄墨塗りは、粘着部が設けられた範囲を示す。
【図７】他の実施形態の収納ラベルを示し、（ａ）は、それを上面側から見た平面図、（ｂ）は、同Ｆ−Ｆ線矢視断面図。
【図８】他の実施形態の収納ラベルを示し、（ａ）は、それを上面側から見た平面図、（ｂ）は、同Ｇ−Ｇ線矢視断面図。
【図９】（ａ）、（ｂ）共に、他の実施形態の収納ラベルを幅方向で切断した断面図。
【図１０】（ａ）は、従来の収納ラベルを上面側から見た平面図、（ｂ）は、同Ｈ−Ｈ線矢視断面図。
【符号の説明】
【００３７】
１…収納ラベル、２…粘着部、３…下層フィルム、４…上層フィルム、４１…第１フィルム片、４１ａ…第１フィルム片の一縁部、４１ｂ…第１周縁接着部、４２…第２フィルム片、４２ａ…第２フィルム片の一縁部、４２ｂ…第２周縁接着部、５…収納部、６…接着剤又は粘着剤、７…収納物
【図１】
2007057623.tif 000003
【図２】
2007057623.tif 000004
【図３】
2007057623.tif 000005
【図４】
2007057623.tif 000006
【図５】
2007057623.tif 000007
【図６】
2007057623.tif 000008
【図７】
2007057623.tif 000009
【図８】
2007057623.tif 000010
【図９】
2007057623.tif 000011
【図１０】
2007057623.tif 000012